【事件の表示】
　特願２００４−５６２９７１「液晶表示装置」拒絶査定不服審判事件〔平成１６年　７月１５日国際公開、ＷＯ２００４／０５９３７３、平成１８年　４月１３日国内公表、特表２００６−５１２６０１〕について、次のとおり審決する。
【結　論】
　本件審判の請求は、成り立たない。
【理　由】
１．手続の経緯
　
　２００３年　２月　４日を国際出願日（パリ条約による優先権主張外国庁受理：２００２年１２月３１日、大韓民国）とする特許出願
　平成２１年　８月１９日　拒絶理由通知（同年８月２５日発送）
　平成２１年１１月２４日　意見書・手続補正書
　平成２２年　２月１９日　拒絶査定（同年２月２３日送達）
　平成２２年　６月２３日　本件審判請求・手続補正書
　平成２３年　４月２２日　審尋（同年４月２６日発送）
　平成２３年　７月２６日　回答書
　平成２３年１０月１４日　拒絶理由通知（同年１０月１８日発送。以下、「当審拒絶理由通知」という。）・平成２２年６月２３日付け手続補正についての補正の却下の決定（平成２３年１１月１日送達。以下、「補正の却下の決定」という。）
　平成２４年　１月１８日　意見書・手続補正書 
　
２．当審の拒絶理由 
　当審が通知した拒絶理由の概要は、 
　
　この出願の請求項１〜３に係る発明は、その優先日前に日本国内又は外国において頒布された特開２００２−２６８０１号公報（以下「引用刊行物」という。）に記載された発明に基づいて、その優先日前にその発明の属する技術の分野における通常の知識を有する者が容易に発明をすることができたものであるから、特許法第２９条第２項の規定により特許を受けることができない。
　
というものである。 
　
３．本願発明 
　
　本願の請求項１に係る発明（以下、「本願発明」という。）は、平成２４年１月１８日付け手続補正によって補正された特許請求の範囲、明細書及び図面の記載からみて、請求項１に記載された事項により特定される以下のとおりのものと認める。
「複数の画素と、
　メモリとレジスタを備え、前記画素にデータ信号を供給するデータ駆動部と、
　データイネーブル信号を前記データ駆動部に印加する信号制御部とを備え、
　前記レジスタは、前記データイネーブル信号の周波数を決定するデータを記憶するビットを有し、
　前記データイネーブル信号の周波数は、画像データに含まれる動画と静止画像の比率に応じて調節され、
　前記データイネーブル信号の周波数に応じて前記メモリに画像データを保存する速度が決定されることを特徴とする液晶表示装置。」 
　
４．引用発明 
（１）引用刊行物の記載事項
　引用刊行物である特開２００２−２６８０１号公報には、「無線通信端末」（発明の名称）の発明に関して、以下の事項が記載されている。 
　
＜記載事項１＞ 
「【０００２】
【従来の技術】近年、液晶等の画像表示部を備えた無線通信端末においては、会話とともに文字及び静止画等の静的な画像を表示させるだけでなく、ビデオ及びアニメーション等の動的な画像をも表示させることができるＴＶ電話の機能を有する無線通信端末、所謂ＴＶ電話が開発され、急速にその改良がなされつつある。ＴＶ電話の先行技術としては、特願平１１−２７５５１５などが挙げられる。
【０００３】
【発明が解決しようとする課題】このようなＴＶ電話の機能を有する無線通信端末において、通常無線通信端末と同様に音声信号を送受信する音声通話モードに限らず、比較的文字数が少ないメール等の文字列を送受信するショートメール通信モード、比較的文字数が多いテキスト等のテキスト・メールを送受信するメール通信転送モード、静止画を送受信する静止画通信モード及び大きなデータ容量を有する動画データを送受信する動画通信モードでの利用が予想される。
【０００４】このように種々のモードでの利用が予想される無線通信端末では、その電源であるバッテリー容量を大きくすることが必要とされるが、バッテリー容量を大きくしようとすると、そのバッテリーが大きくなり、その携帯性が悪化する問題がある。このためにバッテリーの改良が進められているが、携帯性を損なわず、しかも、その機能の拡張を保ったままでの無線通信端末の改良が求められている。即ち、常に必要最小限の電力で無線通信端末が駆動されることが求められている。
【０００５】この発明は、上述したような事情を鑑みなされたものであって、その目的は、表示すべきデータに応じて表示部に必要最小限の表示をさせることで表示部における電流の消費量を少なくすることができるＴＶ電話機能を有する無線通信端末を提供することにある。」
　
＜記載事項２＞ 
「【０００８】
【発明の実施の形態】以下、図面を参照してこの発明の一実施例に係る無線通信端末を説明する。
【０００９】この発明においては、データの種別に応じて自動的若しくはユーザーがキーを押すことによって、表示画面に表示される画像が変更される。変更される画像は、携帯電話が最も電力を消費する動画から、最も電力を消費しない少数の文字及び静止図形等の画像（電池の残量や電波の受信状態が表示される。以下、待機と呼ぶ）まで、４種類が用意される。すなわち、動画表示モード（動画通信モードとも呼ばれる）、高速文字表示モード（メール通信転送モードとも呼ばれる）、文字表示モード（ショートメール通信モードとも呼ばれる）及び待機モード（音声通話モードとも呼ばれる）の４種類の動作モードが用意される。これらの画像表示速度には、それぞれ、動画表示モード：３０ｆ／ｓ（毎秒フレーム数）、高速文字表示モード：２０ｆ／ｓ、文字表示モード：１０ｆ／ｓ、待機モード：２ｆ／ｓがある。」
　
＜記載事項３＞ 
「【００１４】この携帯電話５は、無線部１と、ベースバンド部２と、入出力部３と、電源部４とから構成される。図２は、この携帯電話５の電気的な内部構成を示すブロック図である。
・・・
【００１６】上記復調器から出力された復調信号はベースバンド部２に入力される。ベースバンド部２は、全体制御部２１と、多重分離部２２と、音声符号復号部（以下、音声コーデックと称する）２３と、マルチメディア処理部（以下、ＭＭ処理部と略す）２４と、ＬＣＤ制御部２５と、動作モード記憶部２６と、表示速度記憶部２７とを備えている。
【００１７】上記復調信号は、全体制御部２１において制御情報であるかマルチメディア情報であるかが識別され、マルチメディア情報であれば多重分離部２２に供給されてここで音声データと画像データとに分離される。この画像データは、圧縮された画像データ、例えば、ＭＰＥＧ−４の画像データである。そして、音声データは音声コーデック２３に供給されてここで音声復号され、これにより再生された音声信号は入出力部３のスピーカ３２から拡声出力される。これに対し画像データは、ＭＭ処理部２４に供給されてここで画像復号化処理され、これにより再生された画像信号はＬＣＤ制御部２５を介して入出力部３のＬＣＤ部３４に供給され表示される。このＭＭ処理部２４において、画像データが伸張される。また、全体制御部２１から動作モードの指示を動作モード記憶部２６が受ける。動作モードは、上述した４つのモードからなる。」
　
＜記載事項４＞ 
「【００２３】ＬＣＤ制御部２５の構成及び動作を図３から図５までを参照して詳細に説明する。図３は、この実施例のＬＣＤ制御部２５およびＬＣＤ部を示すブロック図である。図３に示されるＬＣＤ制御部２５は、ＬＣＤ部３４に出力する画像信号及び同期信号を制御するためのベースクロック信号（ＣＬＫ）が生成されるクロック生成部２０１を有している。クロック生成部２０１には、表示速度記憶部２７からクロック生成部２０１において生成されるベースクロック信号の周波数を制御する周波数制御信号が入力される。この周波数制御信号を受けて、クロック生成部２０１においては、所望の周波数を有するベースクロック信号がＬＣＤインターフェース（ＬＣＤ  ＩＦ）２０２に出力される。ＬＣＤ  ＩＦ２０２は、ＬＣＤ制御部２５とＬＣＤ部３４とを接続して画像を表示するための画像信号等がＬＣＤ部３４に入力されるためのインターフェースである。更に、全体制御部２１からＢＵＳインターフェース（ＢＵＳ  ＩＦ）を介して画像を制御する画像制御信号がＬＣＤ制御部２５に入力される。これらのＢＵＳ  ＩＦを介して入力される画像制御信号は、コンフィギュレーションレジスター２０３、フレームメモリ２０４、ルックアップテーブル２０５の回路に入力される。これらの回路においては、ＭＭ制御部からＬＣＤ制御部２５に入力され伸張された画像信号がＬＣＤＩＦ２０２を介して、これら回路に入力される。この画像信号が基にされて、上記３回路によって画像信号が制御され、再びＬＣＤ  ＩＦ２０２を介して、ＬＣＤ部３４内のドライバ２０７に所望の画像信号が出力される。
・・・
【００２７】また、クロック生成部２０１により生成されたベースクロック信号を基にして水平同期信号（ＨＳＹＮＣ）、垂直同期信号（ＶＳＹＮＣ）がＬＣＤ  ＩＦ２０２で生成される。ＨＳＹＮＣとＶＳＹＮＣとはベースクロック信号に同期している。ＨＳＹＮＣの周波数は単位時間あたりの走査線のライン数を示す。ＶＳＹＮＣの周波数は、単位時間あたり１フレームが更新される回数（リフレッシュレート）を示す。更に、ＬＣＤ表示画面に画像が表示されるために、ＬＣＤドライバ２０７に出力されるＲＧＢ信号を有効にするイネーブル信号（ＥＮＡＢ）もＬＣＤ  ＩＦ２０２で生成される。
【００２８】これらＣＬＫ、ＨＳＹＮＣ及びＶＳＹＮＣがＭＰＥＧ−４インターフェース（ＩＦ）を介してＭＭ制御部に出力される。ＭＭ制御部では、これら３つの画像制御信号に応じた画像信号をＭＰＥＧ−４  ＩＦ２０６に出力する。ＭＭ制御部からは、ＹＵＶ４２２のフォーマットで画像データがＭＰＥＧ−４  ＩＦ２０６に入力される。このＹＵＶ４２２の画像データは、ＭＰＥＧ−４  ＩＦ２０６によってＲＧＢ画素データに変換され、フレームメモリ２０４に格納される。フレームメモリ２０４に格納されたＲＧＢ画素データは、ベースクロックによる同期信号を基にして、上述したコンフィギュレーションレジスター２０３及びルックアップテーブル２０５が参照されて、ＬＣＤドライバ２０７に出力される。これによって、ＣＬＫ、ＨＳＹＮＣ及びＶＳＹＮＣに同期したＲＧＢ画素データが取得されることが可能になる。その結果として、フレームメモリ２０４に格納されたＲＧＢ画素データが対応するＬＣＤパネル３４２上の画素に出力され、ＬＣＤパネル３４２に画像が表示される。
【００２９】図４を参照してＬＣＤドライバ２０７に入力される信号のタイミングを説明する。図４は、ＬＣＤ制御部２５からＬＣＤ部３４へ出力される画像データと画像制御信号のタイミングを示すタイミング図である。図４（Ａ）は、１フレーム中の１ラインが出力される場合の画像制御信号と画像データとのタイミングを示すタイミング図である。ＨＳＹＮＣのローからローまでの時間に１ラインがＬＣＤ制御部２５からＬＣＤ部３４に出力される。すなわち、そのローからローまでの間に図４（Ａ）に示されるようにＥＮＡＢがハイにされる。このハイにされたＥＮＡＢによってＲＧＢ画素データがＬＣＤドライバ２０７に出力される。ＲＧＢ画素データは、ＣＬＫの立下りで変更され、立ち上がりでＬＣＤドライバ２０７に転送される。そして、このＲＧＢ画素データの転送データ数が１ラインの長さ、すなわち、画面の横方向長さに相当する。
【００３０】図４（Ｂ）は、１フレームが出力される場合の画像制御信号と画像データとのタイミングを示すタイミング図である。ＶＳＹＮＣのローからローまでの時間に１フレームがＬＣＤ制御部２５からＬＣＤ部３４に出力される。すなわち、そのローからローまでの間に図４（Ｂ）に示されるように１フレームに含まれるライン数分のＥＮＡＢの矩形信号がある。そして、このＥＮＡＢがハイになっている時間は、ＲＧＢ画素データがＬＣＤドライバ２０７に出力される。このＥＮＡＢがハイになっている時間、すなわち図４（Ｂ）に示される矩形状の点線部に囲まれた部分は図４（Ａ）に対応する。また、このＥＮＡＢの矩形波信号の数が１フレーム内に存在するライン数に相当する。」
　
＜記載事項５＞ 
「【００３３】上述したＲＧＢ画素データがＬＣＤ部３４内のドライバ２０７を駆動して、ＬＣＤパネル３４２に画像が表示される。ドライバ２０７とＬＣＤパネル３４２を具備するＬＣＤ部３４は、図６に示されている。図６は、ＬＣＤパネル３４２と、ＬＣＤパネル３４２を構成する画素（透明電極と液晶材とからなる）と、画素が接続される簡略な回路図とを示す模式図である。ＬＣＤ部３４においては、画面の書換え毎に液晶の方向を整えるために交流による駆動が実行される。ＬＣＤパネル３４２の画素では、対向する透明電極の間に液晶層が設けられ、その電極が交流駆動されている。交流駆動が実行されれば、この対向電極がコンデンサーの効果を有するので、対向電極が充放電を繰り返す。したがって、この充放電により電力が消費される。また、ＬＣＤ部３４以外の表示部の回路も交流の周波数に応じて消費電力が増加する。
【００３４】図７および図８を参照して、動作モード記憶部２６および表示速度記憶部２７を説明する。図７は、動作モード記憶部２６の入出力、及び、動作モードとＩＤナンバーとの対応を示す模式図である。図８は、表示速度記憶部２７の入出力、及び、ＩＤナンバーと表示速度の対応を示す模式図である。
【００３５】図７に示される動作モード記憶部２６は、全体制御部２１から動作モードの指定を受けると、動作モードに対応するＩＤナンバーが付与されたＩＤ信号が出力される。記憶保持トリガー信号に応じてＩＤ信号は、動作モード記録部に保持される。動作モード記録部は、レジスタである。動作モードとＩＤナンバーは一対一に対応していて、一義的に決定される。すなわち、待機は０、文字表示は１、高速文字表示は２、動画表示は３となっている。
【００３６】図８に示される表示速度記憶部２７は、モードに対応した表示速度を記憶する。動作モード記憶部２６からＩＤ信号が入力され、表示速度が示される表示速度信号がＬＣＤ制御部２５に出力される。ＩＤナンバーと表示速度との関係は、待機：０が２ｆ／ｓ、文字表示：１が１０ｆ／ｓ、高速文字表示：２が２０ｆ／ｓ、動画表示：３が３０ｆ／ｓである。
【００３７】図９は、この実施例のＬＣＤ部３４へのデータ転送タイミング例を示すタイミング図である。ＬＣＤ制御部２５に加えられるベースクロック信号をＣＬＯＣＫ生成部で可変にし、ＣＬＫ自体を早くしたり遅くしたりする。この場合、動作表示モードでは、ＣＬＫ周波数は不変のままである。高速文字表示モードでは、ＣＬＫ周波数が当初のＣＬＫ周波数の２／３にされる。更に、文字表示モードでは、ＣＬＫ周波数が当初のＣＬＫ周波数の１／３にされる。また、待機モードでは、ＣＬＫ周波数が当初のＣＬＫ周波数の１／１５にされる。このようにＣＬＫ周波数が小さくされると画像データが少なくなる。したがって、ＬＣＤパネル３４２において消費電力が低減される。この方式は、従来のＬＣＤ制御回路にクロック可変回路を加えるだけよく、簡便に低消費電力のＴＶ電話機能を有する携帯電話５が得られる。」
　
（２）引用刊行物に記載された発明 
（２−１） 
　上記記載事項２には、「【０００８】【発明の実施の形態】以下、図面を参照してこの発明の一実施例に係る無線通信端末を説明する。」と記載され、また、上記記載事項３には、「【００１７】・・・これにより再生された画像信号はＬＣＤ制御部２５を介して入出力部３のＬＣＤ部３４に供給され表示される。」と記載されている。 
　
　これらの記載によれば、引用刊行物には、「ＬＣＤ部３４を備えた無線通信端末」の発明が記載されている。 
　
（２−２）
　上記記載事項４には、「【００２３】・・・図３に示されるＬＣＤ制御部２５は、ＬＣＤ部３４に出力する画像信号及び同期信号を制御するためのベースクロック信号（ＣＬＫ）が生成されるクロック生成部２０１を有している。・・・この画像信号が基にされて、上記３回路によって画像信号が制御され、再びＬＣＤ  ＩＦ２０２を介して、ＬＣＤ部３４内のドライバ２０７に所望の画像信号が出力される。・・・【００２７】また、クロック生成部２０１により生成されたベースクロック信号を基にして水平同期信号（ＨＳＹＮＣ）、垂直同期信号（ＶＳＹＮＣ）がＬＣＤ  ＩＦ２０２で生成される。・・・イネーブル信号（ＥＮＡＢ）・・・【００２８】・・・フレームメモリ２０４に格納されたＲＧＢ画素データは、ベースクロックによる同期信号を基にして、上述したコンフィギュレーションレジスター２０３及びルックアップテーブル２０５が参照されて、ＬＣＤドライバ２０７に出力される。これによって、ＣＬＫ、ＨＳＹＮＣ及びＶＳＹＮＣに同期したＲＧＢ画素データが取得されることが可能になる。その結果として、フレームメモリ２０４に格納されたＲＧＢ画素データが対応するＬＣＤパネル３４２上の画素に出力され、ＬＣＤパネル３４２に画像が表示される。【００２９】図４を参照してＬＣＤドライバ２０７に入力される信号のタイミングを説明する。・・・ＨＳＹＮＣのローからローまでの時間に１ラインがＬＣＤ制御部２５からＬＣＤ部３４に出力される。すなわち、そのローからローまでの間に図４（Ａ）に示されるようにＥＮＡＢがハイにされる。このハイにされたＥＮＡＢによってＲＧＢ画素データがＬＣＤドライバ２０７に出力される。」と記載されている。
　
　この記載によれば、引用刊行物に記載された「ＬＣＤ部３４を備えた無線通信端末」は、「複数の画素を有するＬＣＤパネル３４２と、前記ＬＣＤパネル３４２上の画素にＲＧＢ画素データを出力するＬＣＤドライバ２０７とを有するＬＣＤ部３４」を備えている。
　また、引用刊行物に記載された「ＬＣＤ部３４を備えた無線通信端末」が備える「ＬＣＤ部３４」の有する「ＬＣＤドバイバ２０７」は、「ベースクロック信号ＣＬＫ、水平同期信号ＨＳＹＮＣ、垂直同期信号ＶＳＹＮＣ、イネーブル信号ＥＮＡＢに同期して１ライン単位でＲＧＢ画素データを取得する」ものといえる。
　
（２−３）
　上記記載事項３には、「【００１６】・・・ベースバンド部２は、全体制御部２１と、多重分離部２２と、音声符号復号部（以下、音声コーデックと称する）２３と、マルチメディア処理部（以下、ＭＭ処理部と略す）２４と、ＬＣＤ制御部２５と、動作モード記憶部２６と、表示速度記憶部２７とを備えている。」と記載されている。
　
　この記載によれば、引用刊行物に記載された「ＬＣＤ部３４を備えた無線通信端末」は、「ＬＣＤ制御部２５と、表示速度記憶部２７とを備えるベースバンド部２」を備えている。
　
（２−４）
　上記記載事項４には、「【００２３】・・・図３に示されるＬＣＤ制御部２５は、ＬＣＤ部３４に出力する画像信号及び同期信号を制御するためのベースクロック信号（ＣＬＫ）が生成されるクロック生成部２０１を有している。クロック生成部２０１には、表示速度記憶部２７からクロック生成部２０１において生成されるベースクロック信号の周波数を制御する周波数制御信号が入力される。この周波数制御信号を受けて、クロック生成部２０１においては、所望の周波数を有するベースクロック信号がＬＣＤインターフェース（ＬＣＤ  ＩＦ）２０２に出力される。ＬＣＤ  ＩＦ２０２は、ＬＣＤ制御部２５とＬＣＤ部３４とを接続して画像を表示するための画像信号等がＬＣＤ部３４に入力されるためのインターフェースである。・・・【００２７】また、クロック生成部２０１により生成されたベースクロック信号を基にして水平同期信号（ＨＳＹＮＣ）、垂直同期信号（ＶＳＹＮＣ）がＬＣＤ  ＩＦ２０２で生成される。ＨＳＹＮＣとＶＳＹＮＣとはベースクロック信号に同期している。・・・更に、ＬＣＤ表示画面に画像が表示されるために、ＬＣＤドライバ２０７に出力されるＲＧＢ信号を有効にするイネーブル信号（ＥＮＡＢ）もＬＣＤ  ＩＦ２０２で生成される。【００２８】これらＣＬＫ、ＨＳＹＮＣ及びＶＳＹＮＣがＭＰＥＧ−４インターフェース（ＩＦ）を介してＭＭ制御部に出力される。・・・フレームメモリ２０４に格納されたＲＧＢ画素データは、ベースクロックによる同期信号を基にして、上述したコンフィギュレーションレジスター２０３及びルックアップテーブル２０５が参照されて、ＬＣＤドライバ２０７に出力される。これによって、ＣＬＫ、ＨＳＹＮＣ及びＶＳＹＮＣに同期したＲＧＢ画素データが取得されることが可能になる。」と記載されている。
　
　この記載によれば、引用刊行物に記載された「ＬＣＤ部３４を備えた無線通信端末」が備える「ベースバンド部２」が備える「ＬＣＤ制御部２５」は、「所望の周波数を有するベースクロック信号ＣＬＫを生成するクロック生成部２０１と、生成されたベースクロック信号ＣＬＫに基づいて水平同期信号ＨＳＹＮＣ、垂直同期信号ＶＳＹＮＣ、イネーブル信号ＥＮＡＢを生成し、前記ベースクロック信号ＣＬＫ、前記水平同期信号ＨＳＹＮＣ、前記垂直同期信号ＶＳＹＮＣ、前記イネーブル信号ＥＮＡＢを前記ＬＣＤドライバ２０７に出力するＬＣＤ　ＩＦ２０２を有する」ものである。
　
（２−５）
　上記記載事項２には、「【０００９】この発明においては、データの種別に応じて自動的若しくはユーザーがキーを押すことによって、表示画面に表示される画像が変更される。変更される画像は、携帯電話が最も電力を消費する動画から、最も電力を消費しない少数の文字及び静止図形等の画像（電池の残量や電波の受信状態が表示される。以下、待機と呼ぶ）まで、４種類が用意される。すなわち、動画表示モード（動画通信モードとも呼ばれる）、高速文字表示モード（メール通信転送モードとも呼ばれる）、文字表示モード（ショートメール通信モードとも呼ばれる）及び待機モード（音声通話モードとも呼ばれる）の４種類の動作モードが用意される。これらの画像表示速度には、それぞれ、動画表示モード：３０ｆ／ｓ（毎秒フレーム数）、高速文字表示モード：２０ｆ／ｓ、文字表示モード：１０ｆ／ｓ、待機モード：２ｆ／ｓがある。」と記載され、また、上記記載事項４には、「【００２３】・・・クロック生成部２０１には、表示速度記憶部２７からクロック生成部２０１において生成されるベースクロック信号の周波数を制御する周波数制御信号が入力される。この周波数制御信号を受けて、クロック生成部２０１においては、所望の周波数を有するベースクロック信号がＬＣＤインターフェース（ＬＣＤ  ＩＦ）２０２に出力される。」と記載され、また、上記記載事項５には、「【００３６】図８に示される表示速度記憶部２７は、モードに対応した表示速度を記憶する。動作モード記憶部２６からＩＤ信号が入力され、表示速度が示される表示速度信号がＬＣＤ制御部２５に出力される。ＩＤナンバーと表示速度との関係は、待機：０が２ｆ／ｓ、文字表示：１が１０ｆ／ｓ、高速文字表示：２が２０ｆ／ｓ、動画表示：３が３０ｆ／ｓである。【００３７】図９は、この実施例のＬＣＤ部３４へのデータ転送タイミング例を示すタイミング図である。ＬＣＤ制御部２５に加えられるベースクロック信号をＣＬＯＣＫ生成部で可変にし、ＣＬＫ自体を早くしたり遅くしたりする。この場合、動作表示モードでは、ＣＬＫ周波数は不変のままである。高速文字表示モードでは、ＣＬＫ周波数が当初のＣＬＫ周波数の２／３にされる。更に、文字表示モードでは、ＣＬＫ周波数が当初のＣＬＫ周波数の１／３にされる。また、待機モードでは、ＣＬＫ周波数が当初のＣＬＫ周波数の１／１５にされる。このようにＣＬＫ周波数が小さくされると画像データが少なくなる。」と記載されている。
　
　これらの記載によれば、引用刊行物に記載された「ＬＣＤ部３４を備えた無線通信端末」が備える「ベースバンド部２」が備える「表示速度記憶部２７」は、「表示速度が示される表示速度信号に対応する０〜３のＩＤナンバーを記憶する」ものである。
　また、前記「ＩＤナンバー」は、「前記クロック生成部２０１で生成されるベースクロック信号ＣＬＫのＣＬＫ周波数を決定するものであって、表示画面に表示される画像のデータが、動画であるか、静止図形等の画像であるか、等の、データの種別に応じて決定される」ものである。
　そして、上記（２−４）によれば、イネーブル信号ＥＮＡＢは、ベースクロック信号ＣＬＫに基づいて生成されるものであるから、つまるところ、引用刊行物に記載された「ＬＣＤ部３４を備えた無線通信端末」において、「前記ＩＤナンバーは、前記イネーブル信号ＥＮＡＢの周波数を決定するものであって、前記イネーブル信号ＥＮＡＢの周波数は、表示画面に表示される画像のデータが、動画であるか、静止図形等の画像であるか、等の、データの種別に応じて決定される」ものといえる。
　
（２−６） 
　上記（２−１）〜（２−５）によれば、引用刊行物には、以下の発明が記載されていると認める。  
「複数の画素を有するＬＣＤパネル３４２と、前記ＬＣＤパネル３４２上の画素にＲＧＢ画素データを出力するＬＣＤドライバ２０７とを有するＬＣＤ部３４と、
　ＬＣＤ制御部２５と、表示速度記憶部２７とを備えるベースバンド部２と
　を備えた無線通信端末であって、
　前記ＬＣＤ制御部２５は、所望の周波数を有するベースクロック信号ＣＬＫを生成するクロック生成部２０１と、生成されたベースクロック信号ＣＬＫに基づいて水平同期信号ＨＳＹＮＣ、垂直同期信号ＶＳＹＮＣ、イネーブル信号ＥＮＡＢを生成し、前記ベースクロック信号ＣＬＫ、前記水平同期信号ＨＳＹＮＣ、前記垂直同期信号ＶＳＹＮＣ、前記イネーブル信号ＥＮＡＢを前記ＬＣＤドライバ２０７に出力するＬＣＤ　ＩＦ２０２を有し、
　前記表示速度記憶部２７は、表示速度が示される表示速度信号に対応する０〜３のＩＤナンバーを記憶し、
　前記ＩＤナンバーは、前記イネーブル信号ＥＮＡＢの周波数を決定するものであって、
　前記イネーブル信号ＥＮＡＢの周波数は、表示画面に表示される画像のデータが、動画であるか、静止図形等の画像であるか、等の、データの種別に応じて決定され、
　前記ＬＣＤドバイバ２０７は、前記ベースクロック信号ＣＬＫ、前記水平同期信号ＨＳＹＮＣ、前記垂直同期信号ＶＳＹＮＣ、前記イネーブル信号ＥＮＡＢに同期して１ライン単位で前記ＲＧＢ画素データを取得する
　ＬＣＤ部３４を備えた無線通信端末。」（以下、「引用発明」という。）
　
５．対比 
　本願発明と引用発明とを比較する。
　
（１）
　引用発明の「画素」は、本願発明の「画素」に相当し、以下同様に、「ＲＧＢ画素データ」は「データ信号」に、「ＬＣＤドライバ２７」は「データ駆動部」に、「ＬＣＤ部３４を備えた無線通信端末」は「液晶表示装置」に相当する。
　
　よって、引用発明の「前記ＬＣＤパネル３４２上の画素にＲＧＢ画素データを出力するＬＣＤドライバ２０７」と、本願発明の「メモリとレジスタを備え、前記画素にデータ信号を供給するデータ駆動部」とは共に、「前記画素にデータ信号を供給するデータ駆動部」である点で共通する。
　
（２）
　引用発明の「イネーブル信号ＥＮＡＢ」は、本願発明の「データイネーブル信号」に相当し、引用発明の「ＬＣＤ　ＩＦ２０２」は、本願発明の「信号制御部」に相当する。
　したがって、引用発明の「前記ベースクロック信号ＣＬＫ、前記水平同期信号ＨＳＹＮＣ、前記垂直同期信号ＶＳＹＮＣ、前記イネーブル信号ＥＮＡＢを前記ＬＣＤドライバ２０７に出力するＬＣＤ　ＩＦ２０２」は、本願発明の「データイネーブル信号を前記データ駆動部に印加する信号制御部」に相当する。
　
（３）
　引用発明の「ＩＤナンバー」は、「イネーブル信号ＥＮＡＢの周波数を決定するもの」であるから、本願発明の「データイネーブル信号の周波数を決定するデータ」に相当する。
　
　そして、引用発明の「ＩＤナンバー」は、「０〜３」の数字により表されるものであるから、「表示速度記憶部２７」において「ＩＤナンバー」を記憶する箇所は、少なくとも２ビットのデータを記憶するレジスタであるといえる。
　よって、引用発明の、「表示速度記憶部２７」内の、「イネーブル信号ＥＮＡＢの周波数を決定するもの」である「ＩＤナンバー」を記憶する、少なくとも２ビットのデータを記憶するレジスタは、本願発明の「前記データイネーブル信号の周波数を決定するデータを記憶するビットを有」する「レジスタ」に相当する。
　
（４）
　引用発明の「前記イネーブル信号ＥＮＡＢの周波数は、表示画面に表示される画像のデータが、動画であるか、静止図形等の画像であるか、等の、データの種別に応じて決定され」ることと、本願発明の「前記データイネーブル信号の周波数は、画像データに含まれる動画と静止画像の比率に応じて調節され」ることとは、共に、「前記データイネーブル信号の周波数は、画像の属性に応じて決定される」点で共通する。
　
（５）
　本願発明は、データイネーブル信号の周波数に応じてメモリに画像データを保存する速度を決定するものであって、メモリはデータ駆動部に備えられたものであるから、本願発明のデータ駆動部は、データイネーブル信号の周波数に応じて画像データを処理するものである。
　よって、引用発明の「前記ＬＣＤドバイバ２０７は、前記ベースクロック信号ＣＬＫ、前記水平同期信号ＨＳＹＮＣ、前記垂直同期信号ＶＳＹＮＣ、前記イネーブル信号ＥＮＡＢに同期して１ライン単位で前記ＲＧＢ画素データを取得する」ことと、本願発明の「前記データイネーブル信号の周波数に応じて前記メモリに前記画像データを保存する速度が決定される」こととは、共に、「前記データイネーブル信号の周波数に応じて前記データ駆動部で前記画像データを処理する速度が決定される」ことである点で共通する。
　
（６）
　したがって、本願発明と引用発明の両者は、 
「複数の画素と、
　前記画素にデータ信号を供給するデータ駆動部と、
　データイネーブル信号を前記データ駆動部に印加する信号制御部と、
　レジスタと、
を備え、
　前記レジスタは、前記データイネーブル信号の周波数を決定するデータを記憶するビットを有し、
　前記データイネーブル信号の周波数は、画像の属性に応じて決定され、
　前記データイネーブル信号の周波数に応じて前記データ駆動部で前記画像データを処理する速度が決定される液晶表示装置。」の点で一致し、以下の点で相違する。 
　
相違点１
　「レジスタ」に関し、本願発明では「レジスタ」が「データ駆動部」に備えられているのに対し、引用発明では「表示速度記憶部２７」が「ＬＣＤドライバ２０７」ではなく、「ベースバンド部２」に備えられている点。
　
相違点２
　「メモリ」に関し、本願発明では「メモリ」が「データ駆動部」に備えられているのに対し、引用発明では「ＬＣＤドライバ２０７」が１ライン単位でＲＧＢ画素データを処理することにとどまる点。また、これに派生して、データ駆動部で画像データを処理することが、本願発明では「前記メモリに前記画像データを保存する」ことであるのに対し、引用発明では１ライン単位でＲＧＢ画素データを取得して出力することにとどまる点。
　
相違点３
　「データイネーブル信号の周波数」が決定される画像の属性が、本願発明では「画像データに含まれる動画と静止画像の比率」であるのに対し、引用発明では「表示画面に表示される画像のデータが、動画であるか、静止図形等の画像であるか、等の、データの種別」である点。
　
６．判断
　上記相違点について検討する。
　
相違点１について
　引用発明において、ＩＤナンバーに応じて、ＬＣＤドライバ２７（本願発明の「データ駆動部」に相当する。以下同様。）におけるＲＧＢ画素データの処理速度が異なるところ、かかる処理速度の違いをＬＣＤドライバ２７においても保持、認識するために、ＩＤナンバーを記憶するレジスタである表示速度記憶部２７（レジスタ）をＬＣＤドライバ２７（データ駆動部）に設けることは、当業者が適宜なし得る設計的事項に過ぎない。
　
相違点２について
　引用刊行物の段落【００２９】、【００３０】に記載されているように、引用発明において、ＬＣＤドライバ２７は、ＬＣＤ　ＩＦ２０２から出力される１ライン分のＲＧＢ画素データを一端保持して、１ライン分のＲＧＢ画素データをまとめてＬＣＤパネル３４２に出力するものであるから、明示はされていないが、引用発明のＬＣＤドライバ２７は、１ライン分のＲＧＢ画素データを保持する記憶素子（例えば、ラッチ回路、ラインメモリなど）を有しているものと認められる。
　一方、本願発明におけるメモリは、発明の詳細な説明の記載を参照しても、その記憶容量がいかなものであるのか不明であるから、本願発明のメモリなる特定事項には、１ライン分の画素データを記憶する記憶素子も該当するものである。
　したがって、引用発明のＬＣＤドライバ２７（データ駆動部）に含まれる、１ライン分のＲＧＢ画素データを保持する記憶素子は、本願発明の「メモリ」に相当するものであって、相違点２は実質的な相違点ではない。
　
　また、仮に、本願発明におけるメモリの記憶容量が、１画面分の画素データを記憶するものであったとしても、データ駆動部に、１画面分の画素データを記憶するメモリを設けることは、例えば、
補正の却下の決定の理由において示した特表平１１−５０７７３６号公報の、特に、第１０ページ第２９行〜第１１ページ第１０行、図１に記載されているように、また、
同じく補正の却下の決定の理由において示した特開平９−２８１９３３号公報の、特に、段落【０００２】〜【００１７】、図１８〜図２０に、従来の技術として記載されているように、当該技術分野において、周知・慣用の技術に過ぎない。
　よって、引用発明において、ＬＣＤドライバ２７（データ駆動部）に、上記周知・慣用の技術を適用して、１画面分の画素データを記憶するメモリを設けることも、当業者が容易になし得たことである。この際、ＬＣＤドライバ２７（データ駆動部）における画素データを取り込む処理は、メモリに画像データを保存する処理となる。
　
相違点３について
　「液晶表示装置の駆動制御」の技術分野において、消費電力の低減のために、「画像データに含まれる動画と静止画像の比率に応じて、ＬＣＤパネルの更新周期を変更する」ことは、例えば、
補正の却下の決定の理由において示した特開２００２−２７８５２３号公報（以下、「周知文献１」という。）の、特に、段落【００８６】〜【００８８】、【００９２】に、走査期間Ｔ１と非走査期間との設定を、静止画や動画など表示したい画像における動きの程度に応じて行うことが記載され、また、段落【０１６０】〜【０１６８】、図１、図５〜図１２に、画像が静止画だけである静止モード、画像が一定の間隔を開けて切り替わる（一連の静止画に一部動画が含まれる）変化モード、画像が動画だけである動画モード間で、走査期間Ｔ１と休止期間Ｔ２の割合を変えることが記載されているように、また、
同じく補正の却下の決定の理由において示した特開２００１−３１２２５３号公報（以下、「周知文献２」という。）の、特に、段落【００７６】〜【００８２】、図１、２に、走査期間Ｔ１と非走査期間との設定を、静止画や動画など表示したい画像における動きの程度に応じて行うことが記載されているように、
周知技術である。
　
　よって、引用発明において、画像データの種別に応じて、ベースクロック信号ＣＬＫ及びイネーブル信号ＥＮＡＢ（データイネーブル信号）の周波数を調節しているところ、上記周知技術を適用して、かかる調節を行うための画像の属性として、画像データに含まれる動画と静止画像の比率を採用することは、当業者が容易になし得たことである。
　したがって、上記相違点３に係る本願発明の発明特定事項は、当業者が引用発明及び上記周知技術に基づいて容易に想到し得たことである。
　
　そして、本願発明によってもたらされる効果は、引用発明、上記周知・慣用の技術及び上記周知技術から想定することができない格別のものと認めることもできない。
　
　以上のとおりであるから、本願発明は、引用発明、上記周知・慣用の技術及び上記周知技術に基づいて当業者が容易に想到し得たものである。 
 　 
７．請求人の主張について
　請求人は、平成２４年１月１８日付けの意見書において、「引用刊行物で開示していることは、画像の動きの程度に応じて走査期間と非走査期間の調節を行うということのみであります。本願発明のようにデータ出力を制御するデータイネーブル信号の周波数が動画と静止画像の比率に応じて調節することについては、開示していませんし、暗示や示唆もしていません。」と主張している。
　しかしながら、上記「４．引用発明」において、「前記イネーブル信号ＥＮＡＢの周波数は、表示画面に表示される画像のデータが、動画であるか、静止図形等の画像であるか、等の、データの種別に応じて決定され」と認定しているように、引用刊行物の開示事項として、「画像の動きの程度に応じて走査期間と非走査期間の調節を行う」ことは認定していないから、そもそもの前提が間違っている。そして、上記認定に基づいて、画像データに含まれる動画と静止画像の比率に基づいて、ベースクロック信号ＣＬＫ及びイネーブル信号ＥＮＡＢ（データイネーブル信号）の周波数を調節することが、当業者に容易に想到し得たことであることは、上記「６．判断　相違点３について」で説示したとおりであるから、請求人の上記主張は失当である。
　
　また、仮に、上記主張が、補正の却下の決定の理由において示した周知文献１、２についての主張であったとしても、「液晶表示装置の駆動制御」の技術分野において、消費電力を低減するために、フレーム更新周期を長くするにあたっての具体的方法として、クロックの周波数を小さくして、フレームすべての画素が書き換えられる時間を大きくすること（走査期間自体を大きくすること）、または、フレームすべての画素が書き換えられる時間はそのままで、ブランキング期間を大きくすること（走査期間はそのままで、非走査期間を大きくすること）は、例えば、特開平１１−３０６３号公報の、特に、段落【００４４】〜【００５０】、図４〜７に記載されているように、共に、周知の事項である。
　よって、消費電力の低減のために、「画像データに含まれる動画と静止画像の比率に応じて、ＬＣＤパネルの更新周期を変更する」ことが周知技術であることの証左として、上記周知文献１、２を例示したことは適切である。
　また、上記周知の事項を知悉する当業者にとって、更新周期を長くする具体的方法が、走査期間はそのままで、非走査期間を大きくするものである、上記周知文献１、２に例示される上記周知技術を、更新周期を長くする具体的方法が、クロック信号、イネーブル信号ＥＮＡＢの周波数を小さくして走査期間自体を大きくするものである、引用発明に適用することに、格別の困難性も認められない。
　
　したがって、いずれにせよ、請求人の上記主張は失当である。
　
８．むすび 
　したがって、本願発明は、引用発明、上記周知・慣用の技術及び上記周知技術に基づいて当業者が容易に発明をすることができたものであるから、特許法第２９条第２項の規定により特許を受けることができない。 
　以上のとおりであるから、他の請求項に係る発明について審理するまでもなく、本願は拒絶すべきものである。 
　
　よって、結論のとおり審決する。